【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
物体側から像側へ順に、負の屈折力の第１レンズ群、正の屈折力の第２レンズ群、負の屈折力の第３レンズ群からなり、前記第３レンズ群は、最も広い空気間隔を境に正の屈折力の部分レンズ群Ｌ３Ａ、負の屈折力の部分レンズ群Ｌ３Ｂからなり、
広角端から望遠端へのズーミングに際し、前記第１レンズ群と前記第２レンズ群の間隔が狭まるように前記第１レンズ群と前記第２レンズ群が移動し、前記第２レンズ群と前記第３レンズ群の間隔が変化し、
無限遠物体から近距離物体へのフォーカシングに際し、前記部分レンズ群Ｌ３Ａは不動であり、前記部分レンズ群Ｌ３Ｂは像側に移動することを特徴とするズームレンズ。
【請求項２】
前記部分レンズ群Ｌ３Ｂの焦点距離の絶対値が最も小さい負の屈折力の単レンズ或いは負の屈折力の接合レンズの物体側の空気接触面の曲率半径をＲ３Ｂａ、前記部分レンズ群Ｌ３Ｂの焦点距離の絶対値が最も小さい負の屈折力の単レンズ或いは負の屈折力の接合レンズの像側の空気接触面の曲率半径をＲ３Ｂｂとするとき、
１．０５＜（Ｒ３Ｂｂ＋Ｒ３Ｂａ）／（Ｒ３Ｂｂ−Ｒ３Ｂａ）＜３．００
なる条件式を満足すること特徴とする請求項１に記載のズームレンズ。
【請求項３】
前記部分レンズ群Ｌ３Ｂは１つのレンズまたは１つの接合レンズより構成されることを特徴とする請求項１又は２に記載のズームレンズ。
【請求項４】
前記部分レンズ群Ｌ３Ｂは、広角端から望遠端へのズーミングに際し、前記部分レンズ群Ｌ３Ａの移動軌跡とは異なった移動軌跡で、又は同一の軌跡で物体側に移動することを特徴とする請求項１乃至請求項３のいずれか１項に記載のズームレンズ。
【請求項５】
前記部分レンズ群Ｌ３Ａの焦点距離をｆ３Ａ、前記部分レンズ群Ｌ３Ｂの焦点距離をｆ３Ｂとするとき、
１．０＜ｆ３Ａ／｜ｆ３Ｂ｜  ＜  ２．５
なる条件式を満足すること特徴とする請求項１乃至４のいずれか１項に記載のズームレンズ。
【請求項６】
広角端から望遠端へのズーミングにおける前記部分レンズ群Ｌ３Ａの移動量をｘ３Ａ、広角端から望遠端へのズーミングにおける前記部分レンズ群Ｌ３Ｂの移動量をｘ３Ｂとするとき、
０．８５＜ｘ３Ａ／ｘ３Ｂ  ＜  １．２０
なる条件式を満足すること特徴とする請求項１乃至５のいずれか１項に記載のズームレンズ。
【請求項７】
前記第１レンズ群は、物体側から像側へ順に、負の屈折力のレンズ或いは負の屈折力の接合レンズと、正の屈折力のレンズ或いは正の屈折力の接合レンズと、をそれぞれ少なくとも１つずつ有し、全部で３つ以下のレンズよりなることを特徴とする請求項１乃至６のいずれか１項に記載のズームレンズ。
【請求項８】
請求項１乃至７のいずれか１項に記載のズームレンズと該ズームレンズによって形成された像を受光する撮像素子を有することを特徴とする撮像装置。
【請求項９】
望遠端における最も物体側のレンズから前記撮像素子までの距離をＴＬｗ、望遠端における全系の焦点距離をｆｔ、望遠端における撮影半画角をωｔ（度）とするとき、
３．０＜  ＴＬｗ／（ｆｔ×ｔａｎ（ωｔ））＜  ６．５
なる条件式を満足すること特徴とする請求項８に記載の撮像装置。
【手続補正２】
【補正対象書類名】明細書
【補正対象項目名】００１６
【補正方法】変更
【補正の内容】
【００１６】
本発明のズームレンズは、物体側から像側へ順に、負の屈折力の第１レンズ群、正の屈折力の第２レンズ群、負の屈折力の第３レンズ群からなり、前記第３レンズ群は、最も広い空気間隔を境に正の屈折力の部分レンズ群Ｌ３Ａ、負の屈折力の部分レンズ群Ｌ３Ｂからなり、
広角端から望遠端へのズーミングに際し、前記第１レンズ群と前記第２レンズ群の間隔が狭まるように前記第１レンズ群と前記第２レンズ群が移動し、前記第２レンズ群と前記第３レンズ群の間隔が変化し、
無限遠物体から近距離物体へのフォーカシングに際し、前記部分レンズ群Ｌ３Ａは不動であり、前記部分レンズ群Ｌ３Ｂは像側に移動することを特徴としている。
【手続補正３】
【補正対象書類名】明細書
【補正対象項目名】００１９
【補正方法】変更
【補正の内容】
【００１９】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、負の屈折力の第３レンズ群からなる。第３レンズ群は、物体側から像側へ順に、正の屈折力の部分レンズ群Ｌ３Ａ、負の屈折力の部分レンズ群Ｌ３Ｂからなる。広角端から望遠端へのズーミングに際し、第１レンズ群と第２レンズ群の間隔が狭まるように第１レンズ群と第２レンズ群は移動する。また第２レンズ群と第３レンズ群の間隔が変化する。
【手続補正４】
【補正対象書類名】明細書
【補正対象項目名】００２０
【補正方法】変更
【補正の内容】
【００２０】
無限遠物体から近距離物体への合焦（フォーカシング）に際し、部分レンズ群Ｌ３Ａは不動であり、部分レンズ群Ｌ３Ｂは像側に移動する。尚、以下のレンズ構成の説明において接合レンズは、接合部が一部でも存在する場合、１つの接合レンズとする。またレンズ表面に樹脂を形成して接合させた素子も１つの接合レンズとして取り扱う。
【手続補正５】
【補正対象書類名】明細書
【補正対象項目名】００３５
【補正方法】変更
【補正の内容】
【００３５】
各実施例のズームレンズは、以下の条件式の少なくとも１つを満足している。部分レンズ群Ｌ３Ｂの焦点距離の絶対値が最も小さい負の屈折力の単レンズ或いは負の屈折力の接合レンズの物体側の空気接触面の曲率半径をＲ３Ｂａとする。部分レンズ群Ｌ３Ｂの焦点距離の絶対値が最も小さい負の屈折力の単レンズ或いは負の屈折力の接合レンズの像側の空気接触面の曲率半径をＲ３Ｂｂとする。部分レンズ群Ｌ３Ａの焦点距離をｆ３Ａとする。部分レンズ群Ｌ３Ｂの焦点距離をｆ３Ｂとする。
【手続補正６】
【補正対象書類名】明細書
【補正対象項目名】００３８
【補正方法】変更
【補正の内容】
【００３８】
１．０５＜（Ｒ３Ｂｂ＋Ｒ３Ｂａ）／（Ｒ３Ｂｂ−Ｒ３Ｂａ）＜３．００  …（１）
１．０＜ｆ３Ａ／｜ｆ３Ｂ｜  ＜  ２．５      …（２）
０．８５＜ｘ３Ａ／ｘ３Ｂ  ＜  １．２０      …（３）
３．０＜  ＴＬｗ／（ｆｔ×ｔａｎ（ωｔ））＜  ６．５  …（４）
次に各条件式の技術的意味について説明する。
【手続補正７】
【補正対象書類名】明細書
【補正対象項目名】００４４
【補正方法】変更
【補正の内容】
【００４４】
１．２＜（Ｒ３Ｂｂ＋Ｒ３Ｂａ）／（Ｒ３Ｂｂ−Ｒ３Ｂａ）  ＜  ２．９…（１ａ）
１．２＜ｆ３Ａ／｜ｆ３Ｂ｜  ＜  ２．３…（２ａ）
０．９５＜ｘ３Ａ／ｘ３Ｂ  ＜  １．１０…（３ａ）
４．０＜  ＴＬｗ／（ｆｔ×ｔａｎ（ωｔ））＜  ６．０…（４ａ）
各実施例において、より好ましくは条件式（１ａ）乃至（４ａ）の数値範囲を以下の範囲とするのが良い。
【手続補正８】
【補正対象書類名】明細書
【補正対象項目名】００４５
【補正方法】変更
【補正の内容】
【００４５】
１．４０＜（Ｒ３Ｂｂ＋Ｒ３Ｂａ）／（Ｒ３Ｂｂ−Ｒ３Ｂａ）＜２．９０…（１ｂ）
１．４０＜ｆ３Ａ／｜ｆ３Ｂ｜  ＜  ２．２０  …（２ｂ）
０．９９≦ｘ３Ａ／ｘ３Ｂ  ＜  １．１０      …（３ｂ）
４．５０＜  ＴＬｗ／（ｆｔ×ｔａｎ（ωｔ））＜  ５．５０…（４ｂ）
各実施例では以上のように構成することにより、大型の撮像素子を採用しながら、全系が小型でかつ高速なフォーカシングが容易なズームレンズを実現している。各実施例においては、以下構成の少なくとも１つを満足することが好ましい。
【手続補正９】
【補正対象書類名】明細書
【補正対象項目名】００４９
【補正方法】変更
【補正の内容】
【００４９】
無限遠物体から有限距離物体へ合焦（フォーカス）は、第３レンズ群Ｌ３を構成する一部の負の屈折力の部分レンズ群Ｌ３Ｂを光軸上像側へ移動させることで行うリアフォーカス方式を採用している。フォーカシングに際して部分レンズ群Ｌ３Ａは不動である。